【事件の表示】
　特許第３２０４９５８号「タイルカーペットおよびその製造方法」の請求項１ないし４に係る特許に対する特許異議の申立てについて、次のとおり決定する。
【結　論】
　訂正を認める。
　特許第３２０４９５８号の請求項１に係る特許を維持する。
【理　由】
１　手続の経緯 
 　特許第３２０４９５８号の手続の経緯は以下の通りである。
　
特許出願　　　　　　　　　　　　　　　　　平成１２年　３月　９日
特許権設定登録　　　　　　　　　　　　　　平成１３年　６月２９日
特許異議の申立て（特許異議申立人　三菱レイヨン株式会社）
　　　　　　　　　　　　　　　　　　　　　平成１４年　１月１０日付け
取消理由通知　　　　　　　　　　　　　　　平成１５年　１月２２日付け
訂正請求　　　　　　　　　　　　　　　　　平成１５年　４月　１日付け
　　　　　　　　　　　　　　　　（平成１７年１１月８日付けで取下げ）
特許異議意見書                    　　　　平成１５年　４月　１日付け
取消理由通知　　　　　　　　　　　　　　　平成１７年　６月３０日付け
訂正請求　　　　　　　　　　　　　　　　　平成１７年　９月　５日付け
　　　　　　　　　　　　　　　　（平成１７年１１月８日付けで取下げ）
特許異議意見書                    　　　　平成１７年　９月　５日付け
取消理由通知　　　　　　　　　　　　　　　平成１７年１０月２１日付け
訂正請求　　　　　　　　　　　　　　　　　平成１７年１１月　８日付け
特許異議意見書                    　　　　平成１７年１１月　８日付け　
　
２　訂正の適否についての判断 
（１）　訂正の内容 
　平成１７年１１月８日付けの訂正請求は次の訂正事項を含むものである。
 　
訂正事項ａ）
　発明の名称を「タイルカーペットの製造方法」とする。 
訂正事項ｂ） 
　請求項１を削除する 
訂正事項ｃ） 
　請求項２を削除する。 
訂正事項ｄ）
　請求項４を削除する。
訂正事項ｅ） 
　訂正前の請求項３を、請求項１に繰り上げ、「基布に原着糸のパイルをループ状にタフトした長尺な一次カーペット基材を形成し、この長尺な一次カーペット基材を、ノズルから噴霧された飽和水蒸気または不飽和水蒸気または過熱水蒸気が山形形状のパンチングメタルにより均等に分散されて満たされたスチーマーを通過させることにより湿熱処理してタフトされたループ状のパイルを熱固定し、しかる後に、長尺な一次カーペット基材を乾燥してバッキングを施したものを所定の大きさに裁断させることを特徴とするタイルカーペットの製造方法。」と訂正する。
訂正事項ｆ）−１
　段落【０００７】を「本発明は、上記目的を達成するため、基布に原着糸のパイルをループ状にタフトした長尺な一次カーペット基材を形成し、この長尺な一次カーペット基材を、ノズルから噴霧された飽和水蒸気または不飽和水蒸気または過熱水蒸気が山形形状のパンチングメタルにより均等に分散されて満たされたスチーマーを通過させることにより湿熱処理してタフトされたループ状のパイルを熱固定し、しかる後に、長尺な一次カーペット基材を乾燥してバッキングを施したものを所定の大きさに裁断させることを特徴とするタイルカーペットの製造方法を提供する。」と訂正する。
訂正事項ｆ）−２
　段落【０００８】を「この場合、上記スチーマー内の水蒸気温度は８０〜１２０℃、上記スチーマー内での長尺な一次カーペット基材の送り速度は４〜１６ｍ／ｍｉｎが好ましい。」と訂正する。
　
　なお、訂正事項ｆ）−１、ｆ）−２という枝番号は整理のために当審にて付与したものである。
　
（２）訂正の目的の適否、新規事項の有無及び拡張・変更の存否 
訂正事項ａ）について
　訂正事項ａ）は、後記する特許請求の範囲の訂正に伴い、発明の名称を「タイルカーペットの製造方法」とするものであるから、明りょうでない記載の釈明を目的とするものである。 
訂正事項ｂ）、ｃ）、ｄ）について 
　請求項１、２、４を削除することは、特許請求の範囲の減縮を目的とするものである。 
訂正事項ｅ）について 
　訂正前の請求項３を、請求項１に繰り上げることは、他の請求項を削除する訂正に伴い、請求項の記載を整合させるものであり、明りょうでない記載の釈明をを目的とするものである。
　また、「飽和水蒸気または不飽和水蒸気または過熱水蒸気を満たしたスチーマー」を、「ノズルから噴霧された飽和水蒸気または不飽和水蒸気または過熱水蒸気が山形形状のパンチングメタルにより均等に分散されて満たされたスチーマー」と訂正することは、スチーマーの構造を限定するものであるから、特許請求の範囲の減縮を目的とするものである。 
　そして、この訂正は願書に添付された明細書の段落【００１１】「スチーマー４内には、ノズル（図示せず）から、噴霧された水蒸気が山形形状のパンチングメタルにより均等に分散されて満たされており」との記載に基づくものである。
訂正事項ｆ）−１、ｆ）−２について
　訂正事項ｆ）−１、ｆ）−２は、訂正事項ｂ）ないしｅ）に係る訂正に伴い、発明の詳細な説明の記載を特許請求の範囲の記載に整合させるものであるから、明りょうでない記載の釈明を目的とするものである。
　そして、訂正事項ａ）ないしｆ）−２は、いずれも願書に添付した明細書又は図面に記載した事項の範囲内においてしたものであって、実質上特許請求の範囲を拡張し、又変更するものでもない。 
　
（３）むすび 
　以上のとおりであるから、上記訂正は、特許法第１２０条の４第２項及び同条第３項において準用する同法第１２６条第２項及び第３項の規定に適合するので、当該訂正は認められるものである。 
　
　
３．本件発明  
　本件請求項１に係る発明（以下、「本件発明」という。）は、上記２．のとおり訂正が認められるから、訂正明細書の特許請求の範囲請求項１に記載された事項により特定された、下記のとおりのものである。  
　
「基布に原着糸のパイルをループ状にタフトした長尺な一次カーペット基材を形成し、この長尺な一次カーペット基材を、ノズルから噴霧された飽和水蒸気または不飽和水蒸気または過熱水蒸気が山形形状のパンチングメタルにより均等に分散されて満たされたスチーマーを通過させることにより湿熱処理してタフトされたループ状のパイルを熱固定し、しかる後に、長尺な一次カーペット基材を乾燥してバッキングを施したものを所定の大きさに裁断させることを特徴とするタイルカーペットの製造方法。」
  
　
４．申立ての理由の概要 
　特許異議申立人三菱レイヨン株式会社は、証拠として甲第１号証及び参考資料１，２を提出し、訂正前の特許請求の範囲１ないし４に関する発明は、次のような理由により拒絶の査定をしなければならない特許出願に対してされたものであり、特許を取り消すべきものである旨の主張をする。 
（１）本件特許請求の範囲請求項１ないし４に係る発明は、甲１号証に記載された発明であるから、特許法第２９条第１項第３号に該当し、特許法第２９条第１項の規定により特許を受けることができない。
（２）本件特許請求の範囲請求項１ないし４に係る発明は、甲１号証、参考資料１及び２に記載された発明に基いて当業者が容易に発明をすることができたものであるので、特許法第２９条第２項の規定により特許を受けることができない。 
　
　　　　　　　　　記　
甲第１号証：特公平６−９５２８号公報
参考資料１：特公平８−２６５１６号公報
参考資料２：特公平６−８０２３１号公報 　 
　
　
５　取消理由の概要 
　平成１５年１月２２日付け取消理由通知、平成１７年６月３０日付け取消理由通知、及び平成１７年１０月２１日付け取消理由通知は総じて以下のような内容である。
　
（１）本件特許請求の範囲請求項１に係る発明は、刊行物１に記載された発明であるから、特許法第２９条第１項第３号に該当し、特許法第２９条第１項の規定により特許を受けることができない。
（２）本件特許請求の範囲請求項１ないし４に係る発明は、刊行物１及び２、又は刊行物１ないし４に記載された発明に基いて当業者が容易に発明をすることができたものであるので、特許法第２９条第２項の規定により特許を受けることができない。 
 
記
刊行物１：特公平６−９５２８号公報（特許異議申立人の提出した甲第１号　　　　　証） 
刊行物２：特公平８−２６５１６号公報（特許異議申立人の提出した参考資　　　　　料１）  
刊行物３：特開昭５８−２３９６０号公報 
刊行物４：特開昭５６−３６０号公報 
  
　
６　甲第１号証、各参考資料及び各刊行物の記載事項 
　異議申立人の提出した甲第１号証、参考資料１及び２、刊行物１ないし４には以下の事項が記載されている。
　
甲第１号証（刊行物１）  
（Ａ−１）
「【請求項１】原着顔料および／または原着染料を含有し、かつ油剤が塗布された熱可塑性合成繊維捲縮糸をタフティングマシーンまたは織機を用いてカーペットを製造し、得られたカーペットを水、熱水および／またはスチームによって油剤を除去すると同時に、または除去したのち、パイル糸を熱固定することを特徴とする原着カーペットの製造方法。」（特許請求の範囲）
（Ａ−２）
「原着カーペットの場合、染色などの熱処理工程がないため、カーペット工程で形成されたループパイルなどの形態が熱固定されておらず、例えばタイルカーペットにおいて５０ｃｍ×５０ｃｍ角に製品を切断した場合、ループパイルの片端がバッキング層より離れ、パイル糸がルーブ上の形態を保てなくなり、毛羽状に突き立つことにより、目地不良として原着タイルカーペットの新たな欠点となることが判明したのである。  
　このように、原着カーペットにおいては、油分の除去とパイル形態の熱固定の二つを同時に満足させることが必要である。  
　本発明では、このために原着糸を用いて前記のようにタフティングマシーンやウイルミントン織機などのカーペット製造機によりカーペットを製造したのち、次いで水、熱水および／またはスチームで油剤を除去すると同時に、または除去したのち、パイル糸を熱固定する。  
　すなわち、本発明では、パイル糸の繊維表面に付着している油剤を除去するために、水を用いた場合には、油剤の除去のみが可能であるから、この水処理ののち、さらに熱風、スチームなどの熱処理によりパイル糸を熱固定する。」（第２頁右欄下から第５行〜第３頁左欄第１７行）  
（Ａ−３）
「前述のように、水中で油分を脱落させた場合は、パイル形態の熱固定はできないので、乾燥のときに熱処理や別途にスチームなどで熱固定を行う。」（第３頁左欄第２８〜３０行）  
（Ａ−４）
「パイル面にスチームを吹き付ける場合、前記熱水処理と同様に、油分の除去と熱固定とを同時に行うこともできる。……スチーム処理の場合にはスチーム温度１００〜１１０℃、吹きつけ時間１〜１０秒程度である。これらの水、熱水および／またはスチーム処理ののち、通常、カーペットの乾燥を行う。」（第３頁左欄第３８〜４９行）
（Ａ−５）
「水処理の後の熱固定としては、スチーム処理も可能であり、この場合の処理条件は前記スチーム処理の場合と同様である。」（第３頁右欄第５〜７行）
（Ａ−６）
「〔発明の結果〕本発明によれば、耐候堅牢度、洗濯堅牢度に優れ、しかも汚れが生じ難く、またタイルにした場合でもカット面の毛羽立ちの少ない良好な目地状態を保つことが可能な原着カーペットが得られる。」（第４頁右欄下から第５〜１行）。 
 　  
参考資料１（刊行物２）  
（Ｂ−１）
「次に、染液Ｓが付着した原反１は、該染液付与機６に隣設された染料固着用スチーマー９を通過する。
　このスチーマー９としては、ループ型のスチーマーが使用され、100 ℃（常圧）の飽和水蒸気が充満している。
　そして、原反１がこのスチーマー９内に入ることにより、染液Ｓは、カチオン染料のプラスイオンが原反１のカチオン性の染着座席に入ると共に、酸性染料のマイナスイオンが原反１のアニオン性の染着座席に入った状態で固着され、染液Ｓによる異染同浴染色が行なわれる。」
（段落【００２６】〜【００２８】） 
（Ｂ−２）
　第５頁図１中の符号９に染料固着用スチーマーの図が記載されている。
 　 
参考資料２
（Ｃ−１）
「【請求項１】繊維布帛を、常温の酸活性亜塩素酸ソーダ溶液中に浸漬し、これを圧搾した後、直ちに蒸気加熱室を通過させて布帛の昇温を行ない、次いで常温の酸活性亜塩素酸ソーダ溶液中に再度浸漬し、これを圧搾した後スチーマ内で蒸熱処理を行なうことを特徴とする布帛の漂白方法。」（特許請求の範囲）
（Ｃ−２）
　第３頁図面中の９として常圧スチーマの図が記載されている。
　
刊行物３
（Ｄ−１）
「染料液に布地を浸漬し、次いでその染料を布地に固定する染色工程において、かかる固定用の装置にスチーマの用いられることが多い。この種の染色用スチーマは、通常上下２段に位置決めされた複数のガイドロールを内蔵するボックス内が蒸気加熱雰囲気を形成するようにされていて、予め染料液が浸漬された長尺の布地をボックス内の蒸気過熱雰囲気中にてガイドロールで誘導する間に染料を布地に固定するものである。」（第１頁左欄第２０行〜同頁右欄第８行） 
（Ｄ−２）
「スチーマのボックス１内は、下壁面である底部１１から導入される生蒸気により蒸気加熱雰囲気が形成され、」（第２頁左下欄第１３〜１５行）
　 
刊行物４  
（Ｅ−１）
「図面において、染液を含浸パッドされた布帛Ｆは図示されていない圧力シール導入装置を経て、高温高圧スチーマー１内に導入され、多数のガイドロール２により所要時間のスチーミング処理が施される。スチーマー１内には高温高圧スチーム供給パイプ３からスチームが供給充満されている。」 
（第２頁右上欄７〜１３行） 
　
　
７　対比・判断 
７−１　特許異議申立人の主張についての検討
　特許異議申立人の主張は、訂正前の請求項１ないし４に係る特許について取り消すべき旨のものである。しかし、訂正により訂正前の請求項１、２、４は削除され、もはや異議申立ての対象として存在しないから、これらの請求項に係る発明については検討するまでもなく、取消の理由は解消されている。
　一方、本件発明は、訂正前の請求項３に係る発明を減縮した発明であるから、訂正前の請求項３に関する特許異議申立人の主張について検討する。
  
（１）特許法第２９条第１項３号について 
　甲第１号証の、摘示（Ａ−２）中の「カーペット工程で形成されたループパイルなどの形態が熱固定されておらず、例えばタイルカーペットにおいて５０ｃｍ×５０ｃｍ角に製品を切断した場合、ループパイルの片端がバッキング層より離れ、パイル糸がルーブ上の形態を保てなくなり、毛羽状に突き立つ」及び「本発明では、このために原着糸を用いて前記のようにタフティングマシーンやウイルミントン織機などのカーペット製造機によりカーペットを製造したのち、次いで水、熱水および／またはスチームで油剤を除去すると同時に、または除去したのち、パイル糸を熱固定する」との記載からみて、カーペット製造機によりカーペットを製造したのちパイル糸を熱固定する工程を行うこと、バッキング層を有するカーペットの切断工程が熱固定工程より後で行われることは明らかであるから、カーペットにバッキング層を施す工程は、熱固定工程及び乾燥後であって、切断工程前に行われると認められる。　したがって、甲第１号証には、（Ａ−１）ないし（Ａ−６）の記載からみて、下記の発明（以下、「甲第１号証発明」という。）が記載されていると認められる。  
「原着顔料および／または原着染料を含有し、かつ油剤が塗布された熱可塑性合成繊維捲縮糸をタフティングマシーンまたは織機を用いてカーペットを製造し、得られたカーペットを水によって油剤を除去したのち、パイル糸をスチームによって熱固定し、乾燥した後、バッキング層を施し、所定サイズに切断する、原着タイルカーペットの製造方法」  
　本件発明と甲第１号証発明とを対比すると、後者の「原着顔料および／または原着染料を含有し、かつ油剤が塗布された熱可塑性合成繊維捲縮糸」「スチーム」「タフティングマシーンまたは織機を用い製造されたカーペット」「パイル糸をスチームによって熱固定する」は、それぞれ、本件発明の「原着糸」「水蒸気」「長尺な一次カーペット基材」「湿熱処理してタフトされたループ状のパイルを熱固定すること」に相当する。また、後者の「タフティングマシーンまたは織機を用い製造されたカーペット」とは、上記したようにその後にスチームにる熱固定、乾燥、バッキング層を施すことを経て、所定サイズに切断するという処理加工に供するものであるから、これらの処理加工前の段階では長尺な形状であると認められるので、前者の「長尺な一次カーペット基材」に相当するものである。そうすると両者は、「基布に原着糸のパイルをループ状にタフトした長尺な一次カーペット基材を形成し、この長尺な一次カーペット基材を水蒸気により湿熱処理してタフトされたループ状のパイルを熱固定し、しかる後に、長尺な一次カーペット基材を乾燥してバッキングを施したものを所定の大きさに裁断させるタイルカーペットの製造方法」である点で一致するが、本件発明が、「ノズルから噴霧された飽和水蒸気または不飽和水蒸気または過熱水蒸気が山形形状のパンチングメタルにより均等に分散されて満たされたスチーマーを通過させる」ことで湿熱処理するのに対して、甲第１号証発明では湿熱処理を水蒸気により行うことが記載されているだけで、上記の構造のスチーマーを使用することの記載がない点で相違するものである。
　したがって、本件発明は甲第１号証に記載された発明ではない。
　
（２）特許法第２９条第２項について  
　特許異議申立人は、訂正前の請求項３に係る発明は、甲第１号証、参考資料１及び２に記載された発明に基いて当業者が容易に発明をすることができたものである旨の主張をしており、この主張について検討する。
　本件発明と甲第１号証とを対比すると、上記（１）に記載したとおりの一致点、相違点を有するものである。
　上記相違点について検討する。
　参考資料１及び２には、摘示（Ｂ−１）、（Ｂ−２）、（Ｃ−１）、（Ｃ−２）によれば、布帛を処理するスチーマーに関する事項が記載されていると認められるが、いずれもスチーマーの概略を示すにとどまり、スチーマーにスチーム供給をする構造については記載がなく、またそれを示唆する記載もないから、いずれも上記相違点に係るスチーマーについて想起させるものではない。
　これに対して本件発明は、上記相違点のようにスチーマーを構成することで、スチーマー内に、水蒸気が均等に分散されて満たされたものとすることができるから、スチーマー内で一次カーペット基材のパイルの熱固定が、均等に行われることは明らかな事項であり、それによって明細書に記載の効果を奏するものである。
　したがって、本件発明は甲第１号証、参考文献１及び２に記載された発明に基いて当業者が容易に発明をすることができたものとすることはできない。  
　
（３）まとめ  
　上記（１）（２）で検討したとおりであるから、本件発明に係る特許は、特許法第２９条第１項、第２項の規定に違反して特許されたものであるとすることはできない。
　
７−２　取消理由通知の妥当性についての検討 
　本件発明は、訂正前の請求項３に係る発明を減縮した発明であるから、訂正前の請求項３についての取消理由通知の妥当性について検討する。
（１）刊行物１は特許異議申立人の提出した甲第１号証であるから、本件発明と刊行物１に記載された発明とを対比すると、先に７−１（１）にて検討したとおりの、一致点、相違点を有するものである。
　上記相違点について検討する。
　刊行物２は特許異議申立人の提出した参考資料１であるから、上記７−１（２）にて検討したように、上記相違点に関する事項を開示するものではない。また、刊行物３及び４は、摘示（Ｄ−１）、（Ｄ−２）、（Ｅ−１）によるとスチーマーに関する事項が記載されているが、スチーマーのスチーム供給は、刊行物３では「下壁面である底部１１から導入される生蒸気」（摘示（Ｄ−２））により行われ、また刊行物４では「高温高圧スチーム供給パイプ」によって行われているから、本件発明とは相違するものであり、上記相違点に記載された構造のスチーマーについては記載も示唆もないものである。
　したがって、本件発明は、刊行物１ないし４に記載された発明に基いて、当業者が容易に発明をすることができたとすることはできない。
　
（２）まとめ
　上記したように、本件発明に係る特許は、特許法第２９条第２項の規定に違反して特許されたものであるとすることはできない。　
　
　
８　むすび 
　以上のとおりであるから、特許異議申立ての理由及び証拠によっては、本件発明についての特許を取り消すことはできない。 
　また、他に本件発明についての特許を取り消すべき理由を発見しない。 
　よって、結論のとおり決定する。 
【異議決定日】
平成１７年１２月２日（２００５．１２．２）
【訂正の要旨】
審決（決定）の【理由】欄参照。
（５４）【発明の名称】
タイルカーペット
の製造方法
（５７）【特許請求の範囲】
　【請求項
１
、ノズルから噴霧された
が山形形状のパンチングメタルにより均等に分散されて
され
【発明の詳細な説明】
　【０００１】
　【発明の属する技術分野】
　本発明は、店舗、事務所、住宅等の床敷き材として使用されるタイルカーペットおよびその製造方法に関するものである。
　【０００２】
　【従来の技術】
　タイルカーペットは、敷設施工および持ち運びが容易であるとともに、部分的な取り替えが簡単に行え、しかも、色や形状の組み合わせによって多様なデザイン構成が可能であるため、店舗、事務所、住宅等に広く利用されている。
　【０００３】
　タイルカーペットには、タフト後のパイルに着色する法（以下、「後染法」と称す）を用いたタイルカーペットと、例えばナイロンポリマーに着色した糸（以下、「原着糸」と称す）をパイルに使用したタイルカーペットとがあり、後染法を用いたタイルカーペットは、基布に白糸のパイルをカット状、ループ状等にタフトして長尺な一次カーペット基材を形成し、その後、長尺な一次カーペット基材を染色し、引き続いてこの長尺な一次カーペット基材を乾燥し、その後、長尺な一次カーペット基材に例えばＰＶＣ（ポリ塩化ビニール）等のバッキングを施したものを所定のサイズ、例えば、５０ｃｍ×５０ｃｍに裁断して製造され、一方、原着糸をパイルに使用したタイルカーペットは、基布に原着糸のパイルをカット状、ループ状等にタフトして長尺な一次カーペット基材を形成し、その後、長尺な一次カーペット基材に例えばＰＶＣ（ポリ塩化ビニール）等のバッキングを施したものを所定のサイズ、例えば、５０ｃｍ×５０ｃｍに裁断して製造されている。
　【０００４】
　【発明が解決しようとする課題】
　ところで、後染法を用いたタイルカーペットは、長尺な一次カーペット基材を染色する必要がある。そのため、染色廃液を処理するために大がかりな設備が必要であり、このような設備の設置には膨大な費用がかかり、処理費用も高価であり、また、色落ちするという問題もある。そこで、最近では、染色が不要な原着糸をパイルに使用したタイルカーペットが多用されている。
　【０００５】
　しかし、図２に示すように、長尺な一次カーペット基材１の基布２にパイル３がループ状にタフトされている場合、原着糸をパイルに使用したタイルカーペットは、後染法を用いたタイルカーペットに比べて切断面におけるパイル３の切断端部の立上りや毛羽立ちが発生し易い。即ち、後染法を用いたタイルカーペットの場合、染色工程を経ることにより、カーペット製造工程でタフトされたパイル３に熱処理が施されて熱固定されることになり、その結果、タイルカーペットに裁断する際にパイル３の途中を切断しても、パイル３はループ状の形態を保ち、切断面におけるパイル３の切断端部の立上りや毛羽立ちが抑えられる。これに対して、原着糸をパイルに使用したタイルカーペットの場合、原着糸のバルキー性が優れているため、パイル３の弾力性が強いとともに、染色等の熱処理工程がないため、カーペット製造工程でタフトされたパイル３の形態が熱固定されておらず、その結果、タイルカーペットに裁断する際にパイル３の途中を切断すると、パイル３がループ状の形態を保てなくなり、切断面においてパイル３の切断端部が立上ったり毛羽立ち、敷設後の目地状態が好ましくない。
　【０００６】
　本発明は、上記問題点に鑑みてなされたものであり、切断面におけるパイルの立上りや毛羽立ちが発生し難いタイルカーペットおよびその製造方法を提供することを目的とする。
　【０００７】
　【課題を解決するための手段】
　本発明は、上記目的を達成するため、
基布に原着糸のパイルをループ状にタフトした長尺な一次カーペット基材を形成し、この長尺な一次カーペット基材を、ノズルから噴霧された飽和水蒸気または不飽和水蒸気または過熱水蒸気が山形形状のパンチングメタルにより均等に分散されて満たされたスチーマーを通過させることにより湿熱処理してタフトされたループ状のパイルを熱固定し、しかる後に、長尺な一次カーペット基材を乾燥してバッキングを施したものを所定の大きさに裁断させることを特徴とするタイルカーペットの製造方法
　【０００８】
　この場合、上記スチーマー内の水蒸気温度は８０〜１２０℃、上記スチーマー内での長尺な一次カーペット基材の送り速度は４〜１６ｍ／ｍｉｎが好ましい。
　【０００９】
　【発明の実施の形態】
　以下、本発明の一実施形態を図面に基づいて説明する。
　【００１０】
　本発明は、先ず、基布２にＢＣＦナイロン、ポリプロピレン、ポリエステル等の合成繊維からなる原着糸のパイル３をループ状にタフトして長尺な一次カーペット基材１を形成し、この長尺な一次カーペット基材１を一旦ロール状に巻き取る。
　【００１１】
　次に、ロール状の長尺な一次カーペット基材１を、図１に示すように、ロールから繰り出してスチーマー４に連続的に送る。スチーマー４内には、ノズル（図示せず）から噴霧された水蒸気が山形形状のパンチングメタル５により均等に分散されて満たされており、長尺な一次カーペット基材１は、スチーマー４内の水蒸気雰囲気内を連続的に通過する。このように長尺な一次カーペット基材１をスチーマー４の水蒸気雰囲気内を通過させることにより、長尺な一次カーペット基材１が水蒸気にて湿熱処理され、長尺な一次カーペット１にタフトされたループ状のパイル３が熱固定される。長尺な一次カーペット基材１の湿熱処理に用いられる水蒸気としては、飽和水蒸気と不飽和水蒸気と過熱水蒸気とがあり、特に飽和水蒸気が好ましい。また、長尺な一次カーペット１にタフトされたループ状のパイル３を熱固定するには、スチーマー４内の水蒸気温度を８０〜１２０℃に設定するとともに、長尺な一次カーペット基材１の送り速度を４〜１６ｍ／ｍｉｎ、長尺な一次カーペット基材１のスチーマー４の水蒸気雰囲気内での滞留時間を１５秒〜１分とする。従って、長尺な一次カーペット基材１のスチーマー４内での搬送距離は１〜１６ｍである。
　【００１２】
　次に、湿熱処理されてパイル３が熱固定された長尺な一次カーペット１基材をドライヤー６にて連続的に乾燥し、その後、長尺な一次カーペット基材１に例えばＰＶＣ（ポリ塩化ビニール）等のバッキングを施したものを所定のサイズ、例えば、５０ｃｍ×５０ｃｍに裁断してタイルカーペットを製造する。
　【００１３】
　本発明においては、長尺な一次カーペット基材１を水蒸気雰囲気内を通過させて水蒸気により湿熱処理を施し、その長尺な一次カーペット基材１にタフトされたループ状のパイル３を熱固定することにより、タイルカーペットに裁断する際にループ状のパイル３の途中を切断しても、パイル３がループ状の形態を保ち、切断面においてパイル３の切断端部の立上りや毛羽立ちが発生し難い。このように切断面におけるパイル３の切断端部の立上りや毛羽立ちが発生し難いから、タイルカーペットの切断面が美しくなり、敷設後の目地状態が良好であり、タイルカーペットの品質の向上を図ることができる。
　【００１４】
　尚、上述した実施形態では、カーペット製造工程で形成した長尺な一次カーペット基材１を一旦ロール状に巻き取るようにしているが、本発明では、長尺な一次カーペット基材１を一旦ロール状に巻き取らずに熱処理スチーマー４に連続的に送るようにしても構わない。
　【００１５】
　【発明の効果】
　以上説明したように、本発明は、長尺な一次カーペット基材に湿熱処理を施し、その長尺な一次カーペット基材にタフトされたループ状のパイルを熱固定することにより、切断面におけるパイルの切断端部の立上りや毛羽立ちを発生し難くし、切断面が美しい高品質なタイルカーペットを製造することができる。
【図面の簡単な説明】
　【図１】
　本実施形態のタイルカーペットの製造工程を示す説明図である。
　【図２】
　長尺な一次カーペット基材の一部縦断面図である。
　【符号の説明】
　１　長尺な一次カーペット基材
　２　基布
　３　パイル
　４　スチーマー
　６　ドライヤー